(57)【特許請求の範囲】
【請求項１】
無声放電によりオゾンを生成するオゾン発生ユニットであって、
無声放電機能を有するオゾン発生体と、
前記オゾン発生体を着脱可能な発生体取付金具組と、を有し、
前記オゾン発生体は、
交流の高電圧が印可される露出する電極棒と、
前記電極棒の両端を固定する板状の誘電体と、
前記誘電体における前記電極棒が固定された面の反対側に配されて露出することなく内部に埋め込まれ交流の高電圧が印可される面状電極と、
前記電極棒に電気的に接続され前記電極棒が露出する側の反対側に突出する第１のオスピンと、
前記面状電極に電気的に接続され前記第１のオスピンと同じ方向に突出する第２のオスピンと、を備え、
前記発生体取付金具組は、
前記第１のオスピンを嵌め入れて前記第１のオスピンと電気的に連通する第１のメス接点と、
前記第２のオスピンを嵌め入れて前記第２のオスピンと電気的に連通する第２のメス接点と、を備え、
前記第１のオスピンが前記第１のメス接点から抜き出し可能に、かつ前記第２のオスピンが前記第２のメス接点から抜き出し可能に形成され、前記第１のオスピンおよび前記第２のオスピンが抜き出されることにより、一体化された前記オゾン発生体と前記発生体取付金具組とが分離するように構成され、
前記オゾン発生体と前記発生体取付金具組とが一体化された状態においてこれら２つが密着しないように、前記オゾン発生体および前記発生体取付金具組におけるそれぞれの互いに対向する面の一方または両方に、対向する相手方に向けて突出するスペーサ突起を有する
ことを特徴とするオゾン発生ユニット。
【請求項２】
外部に開口しオゾンが生成される空間であるオゾン生成部を備え、
前記オゾン生成部を形成する側面に、請求項１に記載されたオゾン発生ユニットにおける前記発生体取付金具組が固定された
ことを特徴とするオゾン発生装置。
【発明の詳細な説明】
【技術分野】
【０００１】
本発明は、無声放電方式によりオゾンを発生させるオゾン発生装置に関する。
【背景技術】
【０００２】
集団感染防止の観点から、個人開業医院の待合室、医療用器具の保管庫、食品事業所、食堂等の倉庫、学校給食の調理室等の比較的小さな閉空間における殺菌の必要性が高まっている。殺菌手段として、紫外線照射、塩素ガス等が考えられる。しかし、紫外線照射による殺菌では、陰となる（紫外線が照射されない）部分の殺菌が十分でなく、塩素ガスによる殺菌では、毒性が高く、反応して有害な塩素化合物が生成されるので、排出ガスを無害化する設備が必要となる。そこで、近年、殺菌力が強く、かつ比較的短時間で分解により無害化するオゾンガスを殺菌に利用することが試みられている。
【０００３】
上に例示した小さな閉空間におけるオゾン殺菌では、大型よりも小型のオゾン発生装置の利便性が高い。そして、小型のオゾン発生装置には、紫外線ランプ方式よりもオゾン発生体の小型化が可能な無声放電方式が適する。しかし、無声放電方式は、交流の高電圧を印加して動作させるため、空気中の粉塵等が電極に付着しやすくオゾンの生成能力の長期の維持が困難である。そこで、異物付着等により低下したオゾン生成能力を回復させるため、オゾン発生部の洗浄が容易なオゾン発生装置（特許文献１）、および無声放電部分を交換ユニット化して交換を容易にしたオゾン発生器（特許文献２）が提案されている。
【先行技術文献】
【特許文献】
【０００４】
【特許文献１】特開２０１４−５１６６号公報
【特許文献２】特開２００７−１６１５３３号公報
【発明の概要】
【発明が解決しようとする課題】
【０００５】
特許文献１に提案された技術は、オゾン発生装置内部における高圧を発生させる電源部とオゾン発生部とを仕切り板により分割し、電源部が障害になることなくオゾン発生部の清掃を可能とする。しかし、特許文献１に開示されたオゾン発生装置は、カバーを取り外して内部の機器を露出させ、ダクトを取り除いた後に、オゾン発生装置に一体化されたオゾン発生部に対して清掃作業を行う。そのため、オゾン発生部の清掃は、事前の作業がやや煩雑であり、オゾン発生装置が床置きの場合にはしゃがむ等の無理な姿勢で、またはオゾン発生装置の大きさに応じた大きさの作業台の上で分解、清掃を行う必要がある。
【０００６】
また、特許文献２に記載された交換ユニットは、低電圧電力を高電圧に昇圧する電源昇圧部を有することから、交換ユニットの構造が複雑化し、清掃も困難さが予想される。
本発明は、上述の問題に鑑みてなされたもので、オゾン発生体の電極に付着した異物を簡便に除去できるオゾン発生ユニットおよびオゾン発生装置を提供することを目的とする。
【課題を解決するための手段】
【０００７】
本発明に係るオゾン発生ユニットは、無声放電によりオゾンを生成する。
オゾン発生ユニットは、無声放電機能を有するオゾン発生体、およびオゾン発生体を着脱可能な発生体取付金具組を有する。
オゾン発生体は、交流の高電圧が印可される露出する電極棒、電極棒の両端を固定する板状の誘電体、誘電体における電極棒が固定された面の反対側に配されて露出することなく内部に埋め込まれ交流の高電圧が印可される面状電極、電極棒に電気的に接続され電極棒が露出する側の反対側に突出する第１のオスピン、および面状電極に電気的に接続され第１のオスピンと同じ方向に突出する第２のオスピンを備える。
【０００８】
発生体取付金具組は、第１のオスピンを嵌め入れて第１のオスピンと電気的に連通する第１のメス接点、および第２のオスピンを嵌め入れて第２のオスピンと電気的に連通する第２のメス接点を備える。
オゾン発生ユニットは、第１のオスピンが第１のメス接点から抜き出し可能に、かつ第
２のオスピンが第２のメス接点から抜き出し可能に形成され、第１のオスピンおよび第２のオスピンが抜き出されることにより、一体化されたオゾン発生体と発生体取付金具組とが分離するように構成されている。
【０００９】
オゾン発生体と発生体取付金具組とは、一体化された状態においてこれら２つが密着しないように、オゾン発生体および発生体取付金具組におけるそれぞれの互いに対向する面の一方または両方に、対向する相手方に向けて突出するスペーサ突起を有する。
本発明に係るオゾン発生ユニットは、外部に開口しオゾンが生成される空間であるオゾン生成部を備える。オゾン生成部を形成する側面には、前述したオゾン発生ユニットにおける発生体取付金具組が固定されている。
【発明の効果】
【００１０】
本発明によると、オゾン発生体の電極に付着した異物を簡便に除去できるオゾン発生ユニットおよびオゾン発生装置を提供することができる。
【図面の簡単な説明】
【００１１】
【図１】図１はオゾン発生装置の正面図である。
【図２】図２はオゾン発生装置の左側面図である。
【図３】図３はオゾン発生装置の右側面図である。
【図４】図４はオゾン発生体の概要を示す図である。
【図５】図５は発生体取付金具組の概要を示す図である。
【図６】図６は図５（ａ）におけるＡ−Ａ矢視断面図である。
【図７】図７はオゾン発生体の側面部分断面図である。
【図８】図８はオゾン発生本体の取り外しの様子を示す図である。
【図９】図９はオゾン発生本体の洗浄の様子を示す図である。
【図１０】図１０は他の発生体取付金具組の概要を示す図である。
【発明を実施するための形態】
【００１２】
図１はオゾン発生装置１の正面図、図２はオゾン発生装置１の左側面図、図３はオゾン発生装置１の右側面図、図４はオゾン発生体２の概要を示す図、図５は発生体取付金具組３の概要を示す図、図６は図５（ａ）におけるＡ−Ａ矢視断面図、図７はオゾン発生体２の側面部分断面図である。図１において（ｂ）はカバー１１を取り外した吹き出し口１２の正面図である。図４および図５において、（ａ）は平面図、（ｂ）は側面図、（ｃ）は裏面図であり、図４（ｄ）は図４（ｃ）の左側面図である。
【００１３】
オゾン発生装置１は、装置本体４、オゾン発生体２および発生体取付金具組３からなる。
装置本体４は、筐体１３、循環ファン、近接センサ１４および制御装置により構成される。
筐体１３は、循環ファン、近接センサ１４、オゾン発生体２、発生体取付金具組３、および制御装置等を保持または収納する、いわゆるケース（容器）である。筐体１３は、オゾン発生装置１が設置される空間（以下「設置空間」と略す）に生成したオゾンを含む空気を放出する、矩形に開口する吹き出し口１２をその前面（正面）に備える。吹き出し口１２の内方は空間となっている。この空間を「オゾン生成部１５」という。
【００１４】
筐体１３の吹き出し口１２は、カバー１１で覆われる。カバー１１には、厚さ方向に貫通させた横長の放出口１６が複数設けられている。カバー１１は、オゾン発生装置１内部の保護、および人を保護する所謂安全カバーの役割を有する。カバー１１は、３つの逆三角形状に配された爪により筐体１３に取り付けられる。カバー１１は、筐体１３への取り付けおよび筐体１３からの取り外しが自在である。
【００１５】
循環ファンは、設置空間から空気を吸入してオゾン生成部１５を経由させ設置環境に送り出すための機器である。循環ファンは、筐体１３の背面に設けられた吸気口から設置空間の空気を吸入する。
近接センサ１４は、オゾン発生装置１の正面近傍の人、物等の障害物を検出するためのものである。近接センサ１４には、光学式のものが使用される。
【００１６】
制御装置は、マテイクロプロセッサ、ＲＡＭ、ＲＯＭおよび運転スイッチ５１、オゾン濃度調節ダイヤル５２等からなる。制御装置の動作については後述する。
オゾン発生体２は、オゾン発生本体５および発生本体保持具６からなる。
オゾン発生本体５は、電極棒（線状電極）２１、誘電体２２および面状電極２３等からなる。オゾン発生本体５は、無声放電の一種である沿面放電によりオゾンを生成させる。電極棒２１は細長い短冊状であり、一方の端に導線３１が連結されている。
【００１７】
誘電体２２は、小さな矩形の薄い板である。誘電体２２は、その一方の表面に、電極棒２１の両端が固定される。電極棒２１の両端を除く誘電体２２と電極棒２１との間には、僅かな隙間Ｄが設けられる。誘電体２２は、セラミックで形成されている。
面状電極２３は、誘電体２２の他方（電極棒２１固定面の反対側）の表面全体を覆う。面状電極２３には、他の導線３２が連結されている。
【００１８】
発生本体保持具６は、全体として矩形の厚板状である。発生本体保持具６は、面積が最大の表面の一方に開口形状が矩形の浅い凹みである凹部２４を有する。発生本体保持具６は、面積が最大の表面の他方に、この表面に直交して外方に突出する断面円形の太オスピン２５、細オスピン２６を有する。太オスピン２５および細オスピン２６は、矩形状の表面における長手方向に並ぶ。
【００１９】
凹部２４は、面状電極２３が一体化された誘電体２２を収容しオゾン発生本体５を一体化（固定）する。太オスピン２５は、電極棒２１に連結された導線３１の他端に電気的に接続されている。細オスピン２６は、太オスピン２５よりも外径が小さく、面状電極２３に連結された導線３２の他端に電気的に接続されている。太オスピン２５と導線３１との連結、および細オスピン２６と導線３２との連結は、導電性接着剤により行われる。太オスピン２５と導線３１との連結部分における露出部分は、絶縁用のシリコンゴム３３により被覆される。
【００２０】
発生本体保持具６は、太オスピン２５および細オスピン２６が突出する表面に、４つのスペーサ突起２７，２７，２７，２７を有する。スペーサ突起２７，２７，２７，２７は、４つで矩形を形成するように配され、それぞれは断面円形であって１〜２ｍｍ外方に突出する。
発生体取付金具組３は、金具組本体７、大メス接点３６、小メス接点３７および一対の接点取付板３８，３９を有する。
【００２１】
金具組本体７は、全体として形状が直方体である。直方体の最大の表面の長辺は、矩形である金具組本体７の長辺に略等しい。直方体の最大の表面の短辺は、発生本体保持具６の短辺よりも小さい。金具組本体７は、その直方体形状の対向する最大の表面における長手方向の一方の端側に偏った位置に長手方向に直交して延びる凹溝３４を備える。また、金具組本体７は、長手方向の他方の端に、凹溝３４と略同じ深さで凹溝３４に平行に延びる切り欠き状の段部３５を備える。
【００２２】
金具組本体７は、段部３５が設けられた端とは反対の端と凹溝３４との間に大メス接点３６が、および凹溝３４と段部３５との間の凹溝３４側に偏る位置に小メス接点３７が埋め込まれている。大メス接点３６および小メス接点３７は、いずれも円筒状であって、直方体形状の最大の表面の凹溝３４側に開口する。大メス接点３６および小メス接点３７は、開口する最大の表面に直交して金具組本体７の内方に延びる。大メス接点３６と小メス接点３７との距離は、太オスピン２５と細オスピン２６との距離に等しい。
【００２３】
大メス接点３６は太オスピン２５を挿入可能な嵌め合い関係を有し、小メス接点３７は細オスピン２６を挿入可能な嵌め合い関係を有する。大メス接点３６および小メス接点３７は、それぞれ太オスピン２５および細オスピン２６が嵌め合わされたとき、いずれの組合せも電気的に接続する。
一対の接点取付板３８，３９は、いずれも凹溝３４等が設けられた表面に対向する表面から外方に突出する。一方の接点取付板３８は大メス接点３６に電気的に繋がり、他方の接点取付板３９は小メス接点３７に電気的に繋がる。
【００２４】
発生体取付金具組３は、大メス接点３６に太オスピン２５が嵌め入れられ小メス接点３７に細オスピン２６が嵌め入れられて、オゾン発生体２と一体化される。発生体取付金具
組３は、一対の接点取付板３８，３９が突出する側の表面が、オゾン生成部１５の側面に固定されて筐体１３に一体化される。この「オゾン生成部１５の側面」とは、オゾン生成部１５の開口に直交する面（側面）である。また、発生体取付金具組３は、一対の接点取付板３８，３９の並び方向、つまり太オスピン２５および細オスピン２６の並び方向をオゾン生成部１５の開口の端縁に平行になるようにして、筐体１３に固定される。これらの並び方向は、電極棒２１の長手方向に一致する。
【００２５】
発生体取付金具組３の筐体１３への固定は、ネジ貫通孔４０，４０，４０，４０を貫通するネジにより行われる。
前述したように、オゾン発生体２と発生体取付金具組３との一体化は、径（外径、内径）が異なる２組のオスピン（太オスピン２５、細オスピン２６）とメス接点（大メス接点３６、小メス接点３７）との嵌め合いで行われる。
【００２６】
オゾン発生体２における太オスピン２５および細オスピン２６が突出する表面には、４つのスペーサ突起２７，…，２７が突出する。この４つのスペーサ突起２７，…，２７により、一体化されたオゾン発生体２および発生体取付金具組３の対向する両表面は、密着することなくスペーサ突起２７の突出高さに等しい間隔を有する（図７）。
スペーサ突起２７，…，２７は、オゾン発生体２に設けるのではなく、発生体取付金具組３におけるオゾン発生体２に対向する表面に設けてもよい。
【００２７】
制御装置は、運転スイッチ５１が入れられると循環ファンを起動させ、オゾン発生体に高圧電流を供給してオゾンの生成を開始させる。このとき、制御装置は、低濃度から高濃度まで無段階にオゾン濃度を設定可能なオゾン濃度調節ダイヤル５２の状態を検出し、これに基づいて生成するオゾン量および循環ファンの風量を調整する。運転開始以降、制御装置は常時、オゾン濃度調節ダイヤル５２の状態を監視し、オゾン濃度調節ダイヤル５２の状態に応じて生成するオゾン量および循環ファンの風量を変更する。
【００２８】
オゾン発生装置１の作動中、制御装置は、近接センサ１４からの出力を監視し、近接センサ１４が障害物を検出するとオゾンの生成を停止させる。同時に、制御装置は、近接センサ動作灯５３を点灯させる。制御装置は、近接センサ１４が障害物なしを検出すると、オゾンの生成を再開する。
制御装置は、運転スイッチ５１が切られるとオゾン発生体２にオゾンの生成を停止させ、一定時間循環ファンを継続動作させた後、循環ファンを停止させる。
【００２９】
オゾン発生本体５の洗浄は、以下のようにして行う。
図８はオゾン発生本体５の取り外しの様子を示す図、図９はオゾン発生本体５の洗浄の様子を示す図である。
初めに、オゾン発生装置１の電源プラグ５４をコンセントから外す。３つの爪を筐体１３（装置本体４）の係合孔５５，５５から抜き出し、カバー１１を装置本体４から取り外す（図８（ａ））。適度な大きさのマイナスドライバー６１の先端を、露出したオゾン発生体２の（スペーサ突起２７により生じた）発生体取付金具組３とオゾン発生体２との隙間に差し入れる。続いて、テコの要領でマイナスドライバー６１を発生体取付金具組３とオゾン発生体２との重なり方向に振ると（図８（ｂ））、太オスピン２５および細オスピン２６がそれぞれ大メス接点３６および小メス接点３７から抜き出される。
【００３０】
発生体取付金具組３との間隔が大きくなり抜き出しが容易になると、オゾン発生体２を発生体取付金具組３から手で引き離すことにより、オゾン発生体２が取り外される。
オゾン発生体２の洗浄は、水で希釈された中性洗剤の中で、歯ブラシ等の毛が柔らかいブラシ６２により、電極棒２１と誘電体２２との間の付着物を除去することにより行う。
オゾン発生装置１は、無声放電部分のみをオゾン発生体２として独立させ、かつこれを装置本体４に固定された発生体取付金具組３に着脱容易に構成される。このように構成されたオゾン発生装置１は、洗浄対象部分（オゾン発生体２）を容易に取り外すことができる。また、オゾン発生体２は、異物が付着し易い部分（電極棒２１周り）が露出しているので、歯ブラシ等で電極棒２１に付着した異物を簡便に除去できる。
【００３１】
図１０は他の発生体取付金具組３Ｂ〜３Ｄの概要を示す図である。図１０において、（ａ）は平面図、（ｂ）は側面図、（ｃ）はオゾン発生体２が一体化されたときの（ａ）に
おけるＢ−Ｂ矢視断面図、（ｄ）は他の発生体取付金具組３Ｃ，３Ｄの（ａ）におけるＢ−Ｂ矢視に相当する断面図である。
発生体取付金具組３Ｂは、金具組本体７Ｂ、大メス接点３６、小メス接点３７および一対の接点取付板３８，３９を有する。発生体取付金具組３Ｂは、金具組本体７Ｂの形状が金具組本体７における金具組本体７の形状と若干異なる点を除き、前述した発生体取付金具組３と同じである。
【００３２】
金具組本体７Ｂは、金具組本体７における凹溝３４の略中央部分に隆起する隆起部４１Ｂを有する。隆起部４１Ｂは、凹溝３４の一方の端側から他方の端側に傾斜し隆起程度を小さくする傾斜面４２Ｂを備える。傾斜面４２Ｂにおける隆起程度が小さくなる側の端には、再び大きく隆起する支点部４３Ｂが設けられる。支点部４３Ｂの表面は、凹溝３４が延びる方向に直交する母線を有する湾曲面である。支点部４３Ｂは、隆起部４１Ｂにおける最も隆起の程度が大きな部分よりも隆起の程度が小さい。
【００３３】
発生体取付金具組３Ｂにおいてその構成が発生体取付金具組３と同じ部分については説明を省略し、図１０において発生体取付金具組３と同じ符号を付す。
発生体取付金具組３Ｂは、発生体取付金具組３と同様に、大メス接点３６に太オスピン２５が嵌め入れられ小メス接点３７に細オスピン２６が嵌め入れられて、オゾン発生体２に一体化される。
【００３４】
発生体取付金具組３Ｂからのオゾン発生体２の取り外しは、以下のようにして行う。
マイナスドライバー６１の一方の表面６３を、オゾン発生体２における発生体取付金具組３Ｂに対向する面２８（「表面２８」という）に沿わせて差し入れる。以後、マイナスドライバー６１が支点部４３Ｂに接し、かつマイナスドライバー６１の一方の表面６３全体が表面２８に接する状態を維持しながら、マイナスドライバー６１を奥に押し進める。
【００３５】
この作業では、マイナスドライバー６１の表面６３が表面２８に沿って前進し、マイナスドライバー６１からオゾン発生体２に加わる力は、前進方向に直交する方向に働く。つまり、太オスピン２５、細オスピン２６および大メス接点３６、小メス接点３７には、その軸心方向にのみ力が作用する。そのため、オゾン発生体２の取り外し時における太オスピン２５、細オスピン２６および大メス接点３６、小メス接点３７、またはオゾン発生体２等におけるこれらに関連する部分の損傷を防止することができる。
【００３６】
発生体取付金具組３Ｂが使用されたオゾン発生装置が、オゾン発生体２を容易に取り外すことができ、オゾン発生体２に付着した異物を簡便に除去できることは、前述したオゾン発生装置１と同じである。傾斜面４２Ｂの傾斜方向は、発生体取付金具組３Ｂのオゾン生成部１５への取り付け位置により決定され、オゾン生成部１５の開口側の隆起が小さくなるように設計される。
【００３７】
発生体取付金具組３Ｂにおける隆起部４１Ｂを、例えば図１０（ｄ）におけるような他の形状の隆起部４１Ｃ，４１Ｄとしても良い。隆起部４１Ｃは、隆起部４１Ｂが備える傾斜面４２Ｂを有さず、全体が凹溝３４の深さよりも低く、隆起の両端に大きく隆起する支点部４３Ｃ，４３Ｃを備える。
隆起部４１Ｄは、全体が平らで隆起部４１Ｃにおける両側のいずれも隆起しない形態である。隆起部４１Ｄを備えた発生体取付金具組も、凹溝３４の延びる方向における隆起部４１Ｄの両端のいずれもが、オゾン発生体２を取り外す際のマイナスドライバー６１に対して、発生体取付金具組３Ｂにおける隆起部４１Ｂと同じ前述した作用を及ぼす。
【００３８】
マイナスドライバー６１等を用いるオゾン発生体２の取り外しは、支点部４３Ｂ，４３Ｃまたは隆起部４１Ｄの一方の端を支点としてテコの要領で行ってもよい。
発生体取付金具組３Ｂ〜３Ｄでは、凹溝３４を大メス接点３６と小メス接点３７との中間近傍に設けるのが好ましい。発生体取付金具組３Ｂ〜３Ｄでは、隆起部４１Ｂ，４１Ｃ，４１Ｄは、大メス接点３６と小メス接点３７とを結ぶ線上におけるこれらの間の中央近辺に設けるのが好ましい。
【００３９】
隆起部４１Ｂ，４１Ｃ，４１Ｄの高さは、凹溝３４の深さよりも小さくするのが好ましい。
隆起部４１Ｂ，４１Ｃ，４１Ｄを備える発生体取付金具組３Ｂ〜３Ｄは、スペーサ突起
２７，…，２７を有しないオゾン発生体と組み合わせることができる。隆起部４１Ｂ，４１Ｃ，４１Ｄは、オゾン発生体２が発生体取付金具組３，３Ｂ〜３Ｄに一体化されたとき、交流の高電圧が印加される太オスピン２５および細オスピンの露出度を軽減させながらマイナスドライバー６１等の「テコ」が差し入れ可能な間隙を確保する働きをする。
【００４０】
上述の実施形態において、大メス接点３６および小メス接点３７の並びに直交する方向の一方から隆起部４１Ｂ，４１Ｃ，４１Ｄにマイナスドライバー６１等を挿入可能であれば、発生体取付金具組３，３Ｂ〜３Ｄにおいて凹溝３４を省略することができる。
その他、オゾン発生装置１、オゾン発生体２、発生体取付金具組３，３Ｂ〜３Ｄの各構成または全体の構造、形状、寸法、個数、材質などは、本発明の趣旨に沿って適宜変更することができる。
【産業上の利用可能性】
【００４１】
本発明は、無声放電方式によりオゾンを発生させるオゾン発生装置に利用することができる。
【符号の説明】
【００４２】
１  オゾン発生装置
２  オゾン発生体
３，３Ｂ〜３Ｄ  発生体取付金具組
１５  オゾン生成部
２１  電極棒
２２  誘電体
２３  面状電極
２５  太オスピン（第１のオスピン）
２６  細オスピン（第２のオスピン）
２７  スペーサ突起
３６  大メス接点（第１のメス接点）
３７  小メス接点（第２のメス接点）
【図１】
0006442391.tif 000002
【図２】
0006442391.tif 000003
【図３】
0006442391.tif 000004
【図４】
0006442391.tif 000005
【図５】
0006442391.tif 000006
【図６】
0006442391.tif 000007
【図７】
0006442391.tif 000008
【図８】
0006442391.tif 000009
【図９】
0006442391.tif 000010
【図１０】
0006442391.tif 000011